【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
印刷データ作成装置、注文者装置およびサーバ装置を含む印刷システムであって、
前記印刷データ作成装置は、
複数の画像または文字のオブジェクトを含む印刷データを作成する作成手段と、
前記複数の画像または文字のオブジェクトの中から少なくとも１つを選択する選択手段と、
前記選択手段により選択されたオブジェクトに対して再編集の可否を設定する設定手段と、
前記設定手段により設定された再編集の可否を示す再編集情報とともに前記印刷データを前記サーバ装置へアップロードする第１のアップロード手段とを備え、
前記注文者装置は、
前記再編集情報および前記印刷データを前記サーバ装置からダウンロードするダウンロード手段と、
前記再編集情報に基づいて前記再編集が許可されている前記オブジェクトを編集することによって、前記印刷データから再編集データを生成する生成手段と、
前記再編集データを前記サーバ装置へアップロードする第２のアップロード手段とを備え、
前記サーバ装置は
前記注文者装置からアップロードされた再編集データが、前記再編集情報に基づいて前記再編集が許可されている前記オブジェクトを編集することによって前記印刷データから生成されているか否かを判定する判定手段と、
前記判定の結果、前記注文者装置からアップロードされた再編集データが、前記再編集情報に基づいて前記再編集が許可されている前記オブジェクトを編集することによって前記印刷データから生成されているとき、前記再編集データの印刷注文を受け付ける受付手段とを備えたことを特徴とする印刷システム。
【請求項２】
前記印刷データ作成装置は、前記第１のアップロード手段により前記サーバ装置へアップロードされる前記印刷データを、全てのオブジェクトに対して前記再編集可を示す再編集情報とともに保存する保存手段をさらに備えたことを特徴とする請求項１に記載の印刷システム。
【請求項３】
前記設定手段は前記再編集が可能な編集内容の種類をさらに設定し、
前記生成手段は前記オブジェクトに対して前記設定された種類の編集内容について編集を行うことを特徴とする請求項１に記載の印刷システム。
【請求項４】
前記判定手段はさらに前記再編集データが、改竄された前記印刷データから生成されたか否かを判定し、
前記受付手段はさらに前記再編集データが改竄された前記印刷データから生成されていないときに、前記印刷注文を受け付けることを特徴とする請求項１または２に記載の印刷システム。
【手続補正２】
【補正対象書類名】明細書
【補正対象項目名】発明の名称
【補正方法】変更
【補正の内容】
【発明の名称】印刷システム
【手続補正３】
【補正対象書類名】明細書
【補正対象項目名】０００９
【補正方法】変更
【補正の内容】
【０００９】
上記目的を達成するため、本発明の実施形態に係る印刷データ作成装置、注文者装置およびサーバ装置を含む印刷システムにおいて、
前記印刷データ作成装置は、
複数の画像または文字のオブジェクトを含む印刷データを作成する作成手段と、
前記複数の画像または文字のオブジェクトの中から少なくとも１つを選択する選択手段と、
前記選択手段により選択されたオブジェクトに対して再編集の可否を設定する設定手段と、
前記設定手段により設定された再編集の可否を示す再編集情報とともに前記印刷データを前記サーバ装置へアップロードする第１のアップロード手段とを備え、
前記注文者装置は、
前記再編集情報および前記印刷データを前記サーバ装置からダウンロードするダウンロード手段と、
前記再編集情報に基づいて前記再編集が許可されている前記オブジェクトを編集することによって、前記印刷データから再編集データを生成する生成手段と、
前記再編集データを前記サーバ装置へアップロードする第２のアップロード手段とを備え、
前記サーバ装置は
前記注文者装置からアップロードされた再編集データが、前記再編集情報に基づいて前記再編集が許可されている前記オブジェクトを編集することによって前記印刷データから生成されているか否かを判定する判定手段と、
前記判定の結果、前記注文者装置からアップロードされた再編集データが、前記再編集情報に基づいて前記再編集が許可されている前記オブジェクトを編集することによって前記印刷データから生成されているとき、前記再編集データの印刷注文を受け付ける受付手段とを備える。
【手続補正４】
【補正対象書類名】明細書
【補正対象項目名】００１０
【補正方法】削除
【補正の内容】
【手続補正５】
【補正対象書類名】明細書
【補正対象項目名】００３９
【補正方法】変更
【補正の内容】
【００３９】
図５の（ａ２）、図５の（ｂ２）、図５の（ｃ２）は、図５の（ａ１）、図５の（ｂ１）、図５の（ｃ１）に対し再編集可能を設定した場合である。／Editableキーに対応する値としては辞書が指定され、その辞書は／Typeキー、／Idキー、およびそれぞれに対応する値が含まれている。／Typeに対応する値は、許可された再編集の種類を意味し、複数の種類の指定が可能なように配列として表される。そして画像の場合、／Typeが１の時は画像の差し替えを、／Typeが２の時は画像位置の変更を、／Typeが３の時は画像倍率の変更を、文字の場合は／Typeが１の時文字の指定を意味する。さらに、／Typeが２の時はフォントの大きさの変更を、／Typeが３の時はフォントの変更を、線画の場合は／Typeが１の時は位置の修正を、それぞれ許可注文者に許可する再編集の内容を設定をすることを意味する。つまり図５の（ａ２）の場合は画像の差し替え、画像位置の変更、画像倍率の変更、図５の（ｂ２）の場合は文字の指定、フォントの大きさの変更、フォントの変更、図５の（ｃ２）の場合は線画の位置の修正を許可している。
【手続補正６】
【補正対象書類名】明細書
【補正対象項目名】００５４
【補正方法】変更
【補正の内容】
【００５４】
図７のＧＵＩ７を使用して、印刷データ作成者は許可注文者のメールアドレスをテキストフィールドＰ７０２に入力し、ＯＫボタンＰ７０３をクリックする。アップロードされた印刷データの内容を確認したい場合は、リンクＰ７０４をクリックすることで、印刷データを確認するための画面のＧＵＩ８に遷移する（図８)。ＧＵＩ８画面では印刷データをＪＰＥＧなどに変換して表示する（Ｐ８０１）ことによって、印刷データの内容の確認を行うことができる。またＧＵＩ８にはＧＵＩ７への遷移を行うリンクＰ８０２が設けられているので、印刷データの内容を確認の上、許可注文者のメールアドレスを設定することが可能となる。
【手続補正７】
【補正対象書類名】明細書
【補正対象項目名】００７９
【補正方法】変更
【補正の内容】
【００７９】
本発明の実施形態に係る情報処理装置の再編集の動作について、さらに、図１５及び１６のフローチャートを使用して説明する。図１５のステップＳ１５０１において、印刷データ作成者はＰＣ１２１を使用して、印刷データを作成する。さらに第三者へ再編集を許可する許可オブジェクト及び再編集内容を指定する。後の改竄検査のために、さらに印刷データに改竄防止データを埋め込む。そしてステップＳ１５０２で、サーバ１２２にアップロードする。
【手続補正８】
【補正対象書類名】明細書
【補正対象項目名】００８１
【補正方法】変更
【補正の内容】
【００８１】
ＰＣ１２１では、ステップＳ１５０５で許可注文者を指定し、ステップＳ１５０６でサーバ１２２にアップロードする。それを受けて、サーバ１２２は、認証処理の確認後、許可注文者に関する情報データをデータ保存装置１２４に保存する（ステップＳ１５０７）。
【手続補正９】
【補正対象書類名】明細書
【補正対象項目名】００８２
【補正方法】変更
【補正の内容】
【００８２】
次に、図１６に移り、サーバ１２２は、ステップＳ１６０１で指定された許可注文者にメールを発行する。メールを受けた許可注文者は、ステップＳ１６０２で印刷データを選択し、ステップＳ１６０３で、サーバ１２２に対して自分のＰＣ１２３を使用して印刷データのダウンロードを要求する。
【手続補正１０】
【補正対象書類名】明細書
【補正対象項目名】００８４
【補正方法】変更
【補正の内容】
【００８４】
許可注文者は、ステップＳ１６０６で、ダウンロードされたデータに従って、印刷データの再編集を必要に応じて行う。そして、ステップＳ１６０７で、サーバ１２２にアップロードする。
【手続補正１１】
【補正対象書類名】明細書
【補正対象項目名】００８５
【補正方法】変更
【補正の内容】
【００８５】
サーバ１２２は、認証処理後、送られてきた再編集された印刷データをデータ保存装置１２４に保存したのち、ステップＳ１６０９で不当な編集、即ち改竄がなされたかを検査する改竄検査を実行する。これは、先にステップＳ１５０１で、編集データ作成者が指定して許可した範囲を越えた再編集がなされたか否かを検査する。不当な編集、即ち改竄がなされたならば、ステップＳ１６１０のように、許可注文者のＰＣ１２３に処理の停止を通知して処理を終了する。
【手続補正１２】
【補正対象書類名】図面
【補正対象項目名】図６
【補正方法】変更
【補正の内容】
【図６】
2008146261.tif 000001
【手続補正１３】
【補正対象書類名】図面
【補正対象項目名】図７
【補正方法】変更
【補正の内容】
【図７】
2008146261.tif 000002
【手続補正１４】
【補正対象書類名】図面
【補正対象項目名】図８
【補正方法】変更
【補正の内容】
【図８】
2008146261.tif 000003
【手続補正１５】
【補正対象書類名】図面
【補正対象項目名】図９
【補正方法】変更
【補正の内容】
【図９】
2008146261.tif 000004
【手続補正１６】
【補正対象書類名】図面
【補正対象項目名】図１０
【補正方法】変更
【補正の内容】
【図１０】
2008146261.tif 000005
【手続補正１７】
【補正対象書類名】図面
【補正対象項目名】図１５
【補正方法】変更
【補正の内容】
【図１５】
2008146261.tif 000006
【手続補正１８】
【補正対象書類名】図面
【補正対象項目名】図１６
【補正方法】変更
【補正の内容】
【図１６】
2008146261.tif 000007